(57)【要約】【課題】既設トラスの内部空間に新設トラスを設置する乗客コンベアのリニューアル工法において、従来よりも作業工数を削減する。【解決手段】本発明に係る乗客コンベアのリニューアル工法は、既設トラス１上に複数の門型揚重装置２ａ、２ｂを配備する準備工程と、搬送の対象とするトラスセグメント３０に複数の搬送具４を取り付けて、該トラスセグメント３０を既設トラス１に沿って搬送する搬送工程とを有し、準備工程では、既設トラス１の下階側水平部１３に、水平方向へ延びるステージ部材５を設置し、搬送工程では、トラスセグメント３０をステージ部材５上に配置してステージ部材５に沿って移動させ、複数の搬送具４が既設トラス１の傾斜部１２の上面に乗り上げた後は、複数の搬送具４を既設トラス１の傾斜部１２に沿って移動させることにより、該トラスセグメント３０を搬送する。【選択図】図１８
2014227242.tif 000002
【特許請求の範囲】
【請求項１】
既設トラスの内部空間に設置すべき新設トラスが、その長手方向に複数のトラスセグメントに分割された状態で、これらのトラスセグメントを順次、既設トラスの内部空間に設置していく乗客コンベアのリニューアル工法において、
既設トラス上に複数の門型揚重装置を配備する準備工程と、
前記複数のトラスセグメントを順次、既設トラスの内部空間に設置していく過程で、搬送の対象とするトラスセグメントに、既設トラスの長手方向に延在する上面に配置することが可能な複数の搬送具を取り付けて、少なくとも１つの門型揚重装置を用いたトラスセグメントの引き上げにより、前記複数の搬送具を前記上面に沿って移動させながら、該トラスセグメントを搬送する搬送工程
とを有し、
前記準備工程では、既設トラスの下階側水平部に、該下階側水平部に沿って水平方向へ延びて既設トラスの傾斜部と交叉するステージ部材を設置し、
前記搬送工程では、搬送の対象とするトラスセグメントを前記ステージ部材上に配置してステージ部材に沿って移動させ、これによって、該トラスセグメントに取り付けられた複数の搬送具が既設トラスの傾斜部の上面に乗り上げた後は、前記複数の搬送具を既設トラスの傾斜部の上面に沿って移動させることにより、該トラスセグメントを該傾斜部に沿って搬送することを特徴とする、乗客コンベアのリニューアル工法。
【請求項２】
前記準備工程では、新設トラスの設置工事を行なう際に形成される床面と同等若しくは略同等の高さに前記ステージ部材を設置する請求項１に記載の乗客コンベアのリニューアル工法。
【請求項３】
前記搬送工程では、搬送の対象とするトラスセグメントを台車に載せて前記ステージ部材上を移動させる、請求項１又は請求項２に記載の乗客コンベアのリニューアル工法。
【請求項４】
前記搬送工程では、トラスセグメントが既設トラスの下階側水平部から傾斜部へ移行する過程で、前記台車を撤去する請求項３に記載の乗客コンベアのリニューアル工法。
【請求項５】
既設トラスの下階側水平部及び下階側屈曲部にトラスセグメントを設置する際には、前記ステージ部材を撤去する、請求項１乃至請求項４の何れかに記載の乗客コンベアのリニューアル工法。
【請求項６】
前記準備工程では、既設トラスの下階側水平部上に下階側門型揚重装置を設置すると共に、既設トラスの上階側水平部上に上階側門型揚重装置を設置する、請求項１乃至請求項５の何れかに記載の乗客コンベアのリニューアル工法。
【請求項７】
上下に連続する３つの階床の内、最も上又は下の階床と中間の階床に跨る第１乗客コンベアと、最も下又は上の階床と中間の階床とに跨る第２乗客コンベアとを対象として、第１乗客コンベアを構成する第１既設トラスの内部空間に新設トラスを設置する第１トラス設置工程と、第２乗客コンベアを構成する第２既設トラスの内部空間に新設トラスを設置する第２トラス設置工程とを有し、
各トラス設置工程では、新設トラスがその長手方向に複数のトラスセグメントに分割された状態で、搬送の対象とするトラスセグメントに、既設トラスの長手方向に延在する上面に配置することが可能な複数の搬送具を取り付け、該複数の搬送具を前記上面に沿って移動させながら、該トラスセグメントを所定位置まで搬送し、既設トラスの内部空間に設置していく乗客コンベアのリニューアル工法において、
第１トラス設置工程の前に、第２既設トラスの下階側水平部に、該下階側水平部に沿って水平方向へ延びて第２既設トラスの傾斜部と交叉するステージ部材を設置する準備工程を有し、
第１トラス設置工程は、第１乗客コンベアの新設トラスを構成すべきトラスセグメントを、前記複数の搬送具が取り付けられた状態で、第２既設トラスに沿って第１既設トラス側へ搬送する第１搬送工程と、第２既設トラスを通過したトラスセグメントを、第１既設トラスに沿って搬送する第２搬送工程とを有し、
前記第１搬送工程では、前記複数の搬送具を第２既設トラスの傾斜部の上面と前記ステージ部材の上面に亘って移動させることにより、第２既設トラスの下階側水平部を通過させることを特徴とする、乗客コンベアのリニューアル工法。
【発明の詳細な説明】
【技術分野】
【０００１】
本発明は、エスカレータ等の乗客コンベアをリニューアルする工法に関するものである。
【背景技術】
【０００２】
従来、エスカレータにおいて、既設トラスを撤去することなく、既設トラスの内部空間に新設トラスを設置し、既設トラスに新設トラスを合体させるリニューアル工法が知られている(特許文献１)。
係るリニューアル工法によれば、リニューアルの工期を短縮することが可能である。
【０００３】
又、この様なリニューアル工法において、新設トラスをその長手方向に複数のトラスセグメントに分割し、これらのトラスセグメントを順次、既設トラスの内部空間に設置していくリニューアル工法が知られている(特許文献２)。
係るリニューアル工法によれば、既設トラスの内部空間を既設トラスに沿って移動させながら、全てのトラスセグメントを既設トラスの内部空間に設置して、これらのトラスセグメントを互いに連結することにより、既設トラスの内部空間に新設トラスを完成することが出来る。
【０００４】
又、この様なリニューアル工法において、既設トラスに沿ってトラスセグメントを移動させる工程で、既設トラスの上階側水平部、傾斜部及び下階側水平部のそれぞれに１或いは複数の門型揚重装置を配備し、これらの門型揚重装置に設けられたチェーンブロックを用いて、トラスセグメントを吊り上げつつ、既設トラスの下階側水平部から傾斜部を経て上階側水平部まで移動させる工法が提案されている(特許文献３)。
【０００５】
更に又、既設トラスに沿ってトラスセグメントを移動させるリニューアル工法において、トラスセグメントの前後左右に、既設トラスの上面にて転動可能な車輪を具えた４つの搬送具を取り付け、該搬送具によってトラスセグメントを搬送することが提案されている(特許文献４)。
係るリニューアル工法によれば、新設トラスを構成すべき複数のトラスセグメントを既設トラスに沿って容易に搬送することが出来る。
【先行技術文献】
【特許文献】
【０００６】
【特許文献１】特開昭５８−１５２７７９号公報
【特許文献２】特開２００５−３１４０８５号公報
【特許文献３】特開２００８−４４６８４号公報
【特許文献４】特開２０１０−７０３１３号公報
【発明の概要】
【発明が解決しようとする課題】
【０００７】
ところで、トラスセグメントに４つの搬送具を取り付けて、該トラスセグメントを既設トラスに沿って搬送するリニューアル工法においても、少なくとも既設トラスの上階側水平部と下階側水平部にはそれぞれ門型揚重装置を配備する必要があり、下階側門型揚重装置を用いてトラスセグメントを先ず既設トラスの下階側水平部に配置して、下階側水平部に沿って移動させ、その後、上階側門型揚重装置を用いてトラスセグメントを下階側水平部から上階側水平部へ向かって引き上げる。
【０００８】
しかしながら、複数の門型揚重装置を用いてトラスセグメントを吊り上げながら移動させるリニューアル工法では、門型揚重装置の操作が煩雑であり、新設トラスを完成するまでの作業工数が多くなって、工期を十分に短縮することが出来ない問題があった。
【０００９】
そこで本発明の目的は、新設トラスをその長手方向に複数のトラスセグメントに分割した状態で、これらのトラスセグメントを順次、既設トラスの内部空間に設置していく乗客コンベアのリニューアル工法において、従来よりも作業工数を削減することである。
【課題を解決するための手段】
【００１０】
本発明に係る第１の乗客コンベアのリニューアル工法は、既設トラスの内部空間に設置すべき新設トラスが、その長手方向に複数のトラスセグメントに分割された状態で、これらのトラスセグメントを順次、既設トラスの内部空間に設置していくものであって、
既設トラス上に複数の門型揚重装置を配備する準備工程と、
前記複数のトラスセグメントを順次、既設トラスの内部空間に設置していく過程で、搬送の対象とするトラスセグメントに、既設トラスの長手方向に延在する上面に配置することが可能な複数の搬送具を取り付けて、少なくとも１つの門型揚重装置を用いたトラスセグメントの引き上げにより、前記複数の搬送具を前記上面に沿って移動させながら、該トラスセグメントを搬送する搬送工程
とを有している。
【００１１】
前記準備工程では、既設トラスの下階側水平部に、該下階側水平部に沿って水平方向へ延びて既設トラスの傾斜部と交叉するステージ部材を設置する。
又、前記搬送工程では、搬送の対象とするトラスセグメントを前記ステージ部材上に配置して、ステージ部材に沿って移動させ、これによって、該トラスセグメントに取り付けられた複数の搬送具が既設トラスの傾斜部の上面に乗り上げた後は、前記複数の搬送具を既設トラスの傾斜部の上面に沿って移動させることにより、該トラスセグメントを該傾斜部に沿って搬送する。
【００１２】
具体的態様において、前記準備工程では、エスカレータのリニューアルを行なう際に敷設される工事用の床面、即ち新設トラスの設置工事を行なう際に形成される床面と同等若しくは略同等の高さに前記ステージ部材を設置する。
【００１３】
又、前記搬送工程では、搬送の対象とするトラスセグメントを台車に載せて、前記ステージ部材上を移動させ、その後、トラスセグメントが既設トラスの下階側水平部から傾斜部へ移行する過程で、前記台車を撤去する。
【００１４】
又、既設トラスの下階側水平部及び下階側屈曲部にトラスセグメントを設置する際には、前記ステージ部材を撤去する。
【００１５】
更に又、前記準備工程では、既設トラスの下階側水平部上に下階側門型揚重装置を設置すると共に、既設トラスの上階側水平部上に上階側門型揚重装置を設置する。
【００１６】
上記本発明のリニューアル工法においては、搬送工程で、搬送の対象とするトラスセグメントをステージ部材に沿って移動させることにより、該トラスセグメントは、既設トラスの下階側水平部を通過し、その後、複数の搬送具が既設トラスの傾斜部の上面に乗り上げ、これによって、トラスセグメントはステージ部材から既設トラスの傾斜部へ移行することなる。
【００１７】
本発明に係る第２の乗客コンベアのリニューアル工法は、上下に連続する３つの階床の内、最も上又は下の階床と中間の階床に跨る第１乗客コンベアと、最も下又は上の階床と中間の階床とに跨る第２乗客コンベアとを対象として、第１乗客コンベアを構成する第１既設トラスの内部空間に新設トラスを設置する第１トラス設置工程と、その後、第２乗客コンベアを構成する第２既設トラスの内部空間に新設トラスを設置する第２トラス設置工程とを有している。
各トラス設置工程では、新設トラスがその長手方向に複数のトラスセグメントに分割された状態で、搬送の対象とするトラスセグメントに、既設トラスの長手方向に延在する上面に配置することが可能な複数の搬送具を取り付け、該複数の搬送具を前記上面に沿って移動させながら、該トラスセグメントを所定位置まで搬送し、既設トラスの内部空間に設置していく。
【００１８】
該リニューアル工法は、第１トラス設置工程の前に、第２既設トラスの下階側水平部に、該下階側水平部に沿って水平方向へ延びて第２既設トラスの傾斜部と交叉するステージ部材を設置する準備工程を有している。
【００１９】
又、第１トラス設置工程は、第１乗客コンベアの新設トラスを構成すべきトラスセグメントを、前記複数の搬送具が取り付けられた状態で、第２既設トラスに沿って第１既設トラス側へ搬送する第１搬送工程と、第２既設トラスを通過したトラスセグメントを、第１既設トラスに沿って搬送する第２搬送工程とを有している。
そして、前記第１搬送工程では、前記複数の搬送具を第２既設トラスの傾斜部の上面と前記ステージ部材の上面に亘って移動させることにより、第２既設トラスの下階側水平部を通過させる。
【００２０】
上記本発明のリニューアル工法においては、３つの階床を連絡する第１乗客コンベアと第２乗客コンベアをリニューアルする場合、第１乗客コンベアを構成する第１既設トラスに新設トラスを設置した後、第２乗客コンベアを構成する第２既設トラスに新設トラスを設置する。
第２既設トラスから第１既設トラスへトラスセグメントを移行させる工程では、該トラスセグメントをステージ部材と第２既設トラスの傾斜部とに亘って移動させることにより、該トラスセグメントは、第２既設トラスの下階側水平部を通過することになる。
【発明の効果】
【００２１】
本発明に係る乗客コンベアのリニューアル工法によれば、門型揚重装置を用いてトラスセグメントを既設トラスの下階側水平部に設置して、下階側水平部に沿って移動させる従来の作業と比較して、門型揚重装置の操作が簡易となり、これによって、新設トラスを完成するまでの作業工数が削減され、工期が大幅に短縮されることになる。
【図面の簡単な説明】
【００２２】
【図１】図１は、本発明のリニューアル工法における第１工程を示す斜視図である。
【図２】図２は、該リニューアル工法における第２工程を示す斜視図である。
【図３】図３は、該リニューアル工法における第３工程を示す斜視図である。
【図４】図４は、該リニューアル工法における第４工程を示す斜視図である。
【図５】図５は、該リニューアル工法における第５工程を示す斜視図である。
【図６】図６は、本発明の搬送具を示す斜視図である。
【図７】図７は、該搬送具の側面図である。
【図８】図８は、該搬送具の正面図である。
【図９】図９は、該搬送具による調整を説明する図である。
【図１０】図１０は、本発明のリニューアル工法において、トラスセグメントが順次、既設トラスに沿って搬送される第１の過程を示す一連の側面図である。
【図１１】図１１は、該リニューアル工法において、トラスセグメントが順次、既設トラスに沿って搬送される第２の過程を示す一連の側面図である。
【図１２】図１２は、該リニューアル工法において、トラスセグメントが順次、既設トラスに沿って搬送される第３の過程を示す一連の側面図である。
【図１３】図１３は、該リニューアル工法において、トラスセグメントが順次、既設トラスに沿って搬送される第４の過程を示す一連の側面図である。
【図１４】図１４は、該リニューアル工法において、トラスセグメントが順次、既設トラスに沿って搬送される第５の過程を示す一連の側面図である。
【図１５】図１５は、該リニューアル工法において、トラスセグメントが順次、既設トラスに沿って搬送される第６の過程を示す一連の側面図である。
【図１６】図１６は、該リニューアル工法において、トラスセグメントが順次、既設トラスに沿って搬送される第７の過程を示す一連の側面図である。
【図１７】図１７は、既設トラスの下階側水平部にステージ部材が設置されている状態を示す斜視図である。
【図１８】図１８は、トラスセグメントがステージ部材から既設トラスへ移行する過程の前半を示す側面図である。
【図１９】図１９は、トラスセグメントがステージ部材から既設トラスへ移行する過程の後半を示す側面図である。
【図２０】図２０は、既設トラスを示す側面図である。
【図２１】図２１は、新設トラスを構成する複数のトラスセグメントを示す側面図である。
【発明を実施するための形態】
【００２３】
以下、本発明をエスカレータのリニューアル工法に実施した形態につき、図面に沿って具体的に説明する。尚、以下の説明では、トラスの長手方向に沿って下階から上階へ向かう方向を「前方」、その逆方向を「後方」と称する。
【００２４】
本発明の一実施形態であるエスカレータのリニューアル工法は、既設トラスを撤去することなく既設トラスの内部空間に新設トラスを設置するものであって、先ず、第１工程では、図１及び図２０に示す如くエスカレータから既設トラス(１)以外の部品や機器(駆動装置、ステップ、手摺り駆動機構、制御機器等)を撤去し、既設トラス(１)のみを残す。
既設トラス(１)は、上階側水平部(11)、傾斜部(12)及び下階側水平部(13)から構成されており、上階側水平部(11)から傾斜部(12)を経て下階側水平部(13)まで延在する上面(1a)を有している。
【００２５】
又、図２１に示す如く、新設トラス(３)をその長手方向に、上階側水平トラスセグメント(31)と、上階側屈曲トラスセグメント(32)と、複数の中間トラスセグメント(33)(33)と、下階側屈曲トラスセグメント(34)と、下階側水平トラスセグメント(35)に分割する。
【００２６】
尚、これらのトラスセグメント(31)〜(35)には、エスカレータを構成すべき複数の部品や機器の内、予め搭載可能な複数の部品や機器(駆動装置、駆動輪、ガイドレール等)が搭載されている。
又、図２１は、新設トラス(３)の１つの分割例を示すものであって、新設トラス(３)の全長等に応じて適切な分割形態が採用される。
以下の説明においては、新設トラス(３)を構成するトラスセグメント(31)〜(35)を適宜、トラスセグメント(30)と総称する。
【００２７】
次に、第２工程では、図２に示す如く既設トラス(１)の下階側水平部(13)に門型揚重装置(２ａ)を設置すると共に、既設トラス(１)の上階側水平部(11)に門型揚重装置(２ｂ)を設置する。
【００２８】
続いて、第３工程では、図３に示す如く下階側の門型揚重装置(２ａ)と上階側の門型揚重装置(２ｂ)に設けられているチェーンブロック(20)を用いて、トラスセグメント(30)を既設トラス(１)の上面に沿って引き上げる。
ここで、トラスセグメント(30)には、前後左右の４箇所にそれぞれ、搬送具(４)が取り付けられており、該４つの搬送具(４)を既設トラス(１)の全長に亘って延在する上面に配置し、該上面に沿って移動させることにより、トラスセグメント(30)を搬送する。
【００２９】
搬送具(４)は、図６に示す如く、トラスセグメント(30)の上面に締結固定されるべき平板状のベース部材(41)と、既設トラス(１)の上面(1a)に沿って滑動可能なそり部材(43)と、ベース部材(41)とそり部材(43)の間に介在する伸縮機構(42)とを具えている。
【００３０】
図８に示す如く、ベース部材(41)の裏面には、トラスセグメント(30)の上面に接触可能な取付け面(41a)が形成されている。
又、そり部材(43)は、図７及び図８に示す如く、伸縮機構(42)の下端部にアングル部材(46)を介して固定されている。
【００３１】
そり部材(43)は、既設トラス(１)の上面に対向して、図７に示す３つの滑動面(43a)(43b)(43b)を有し、中央の主滑動面(43a)の前後に２つの補助滑動面(43b)(43b)が形成されており、両補助滑動面(43b)(43b)はそれぞれ主滑動面(43a)に対して一定の後退角をもって傾斜している。
【００３２】
搬送具(４)が既設トラス(１)の上面の平坦な領域を移動する過程では、そり部材(43)の主滑動面(43a)が既設トラス(１)の上面に摺接するが、搬送具(４)が既設トラス(１)の上面の凸部を乗り越える過程では、先ず、そり部材(43)の前方の補助滑動面(43b)が既設トラス(１)の凸部に摺接して、該凸部を乗り越え、その後、主滑動面(43a)が既設トラス(１)の凸部に摺接して、該凸部を乗り越え、最後に後方の補助滑動面(43b)が既設トラス(１)の凸部に摺接して、該凸部を乗り越えることになる。
【００３３】
図７及び図８に示す如く、伸縮機構(42)は、ベース部材(41)の裏面に連結された外筒(421)と、アングル部材(46)の上面に連結された内筒(422)とから構成され、外筒(421)と内筒(422)が筒軸方向に沿って互いに摺動可能に嵌合している。
又、外筒(421)には筒軸方向に長い長孔(48)が開設される一方、内筒(422)にはボルト(47)がねじ込まれ、該ボルト(47)の頭部が長孔(48)に嵌合して、外筒(421)に対する内筒(422)の摺動が案内され、且つ内筒(422)の脱落が防止されている。
【００３４】
そして、ベース部材(41)には、第１調整ボルト(44)がねじ込まれ、該第１調整ボルト(44)の先端面が内筒(422)の端面に当接している。
従って、第１調整ボルト(44)をベース部材(41)に対してねじ込むことにより、該第１調整ボルト(44)の先端面が内筒(422)の端面を押圧し、これによって外筒(421)と内筒(422)とが互いに離間方向に相対移動して、伸縮機構(42)が伸長し、その長さＡが大きくなる。
【００３５】
逆に、第１調整ボルト(44)をねじ戻すことによって、外筒(421)と内筒(422)とが互いに接近方向に相対移動可能となり、トラスセグメント(30)の重量によって伸縮機構(42)が収縮し、その長さＡが小さくなる。
【００３６】
又、ベース部材(41)には第２調整ボルト(45)がねじ込まれ、ベース部材(41)を貫通した第２調整ボルト(45)の先端部にはナット(49)(49)が螺合している。
第２調整ボルト(45)は、図９(ａ)に示す如くベース部材(41)がトラスセグメント(30)の上面に設置された状態で該トラスセグメント(30)を貫通し、その先端部のナット(49)(49)の締め付けによって、ベース部材(41)をトラスセグメント(30)に固定することが出来る。
【００３７】
４つの搬送具(４)のベース部材(41)をそれぞれトラスセグメント(30)の前後左右に締結固定した状態で、４つの搬送具(４)のそり部材(43)を既設トラス(１)の上面に沿って滑動させる際には、第１調整ボルト(44)の操作によって図９(ａ)に示す伸縮機構(42)の長さＡを変化させることにより、既設トラス(１)の上面(1a)とトラスセグメント(30)の上面との間隔Ｂを調整する。
これによって、トラスセグメント(30)を既設トラス(１)と干渉させることなく、既設トラス(１)の内部空間にてトラスセグメント(30)を搬送することが出来る。
【００３８】
トラスセグメント(30)を既設トラス(１)の上面(1a)に沿って所定の位置まで搬送した後、ベース部材(41)に対するトラスセグメント(30)の締結を緩めると共に、図９(ｂ)に示す第２調整ボルト(45)を操作して、ベース部材(41)に対するねじ込み量を増減させることによって、既設トラス(１)の内部空間にてトラスセグメント(30)を昇降させ、既設トラス(１)の上面(1a)とトラスセグメント(30)の上面との間隔Ｂ′を調整する。この際、第１調整ボルト(44)を操作して、既設トラス(１)の上面(1a)とトラスセグメント(30)の上面との間隔Ｂ′を調整することも可能である。
【００３９】
これによって、トラスセグメント(30)を既設トラス(１)の内部空間にて所定の高さ位置に設定することが出来る。
この結果、トラスセグメント(30)を前方の設置済みのトラスセグメント(30)と連結することが可能となる。
【００４０】
上述の如く、搬送対象となるトラスセグメント(30)に４つの搬送具(４)を取り付け、これら４つの搬送具(４)を既設トラス(１)の上面に沿って移動させながら、各トラスセグメント(30)を搬送し、前後のトラスセグメント(30)(30)どうしを互いに連結することにより、図４に示す如く、既設トラス(１)の内部空間に新設トラス(３)を完成する。
【００４１】
最後に、第４工程では、図５の如く既設トラス(１)から下階側門型揚重装置(２ａ)及び上階側門型揚重装置(２ｂ)を撤去した後、新設トラス(３)に対して必要な部品や機器(ステップ、手摺り、制御機器等)を取り付けることにより、エスカレータのリニューアルを完了する。
【００４２】
図１０〜図１６は、下階側門型揚重装置(２ａ)及び上階側門型揚重装置(２ｂ)を用いて、複数のトラスセグメント(30)を順次、既設トラス(１)の上面に沿って移動させて、新設トラス(３)を完成するまでの一連の搬送及び設置作業を示している。
【００４３】
即ち、図１０(ａ)〜図１１(ｃ)は、上階側水平トラスセグメント(31)の搬送及び設置作業を示し、図１１(ｃ)〜図１２(ｃ)は、上階側屈曲トラスセグメント(32)の搬送及び設置作業を示し、図１３(ａ)〜(ｄ)は、１つ目の中間トラスセグメント(33)の搬送及び設置作業を示し、図１４(ａ)〜(ｃ)は、２つ目の中間トラスセグメント(33)の搬送及び設置作業を示し、図１５(ａ)〜(ｄ)は、下階側屈曲トラスセグメント(34)の設置作業を示し、図１６(ａ)〜(ｃ)は、下階側水平トラスセグメント(35)の設置作業を示している。
【００４４】
ここで、上階側水平トラスセグメント(31)、上階側屈曲トラスセグメント(32)、及び中間トラスセグメント(33)(33)を搬送する場合には、図１７に示す如く、既設トラス(１)に、下階側門型揚重装置(２ａ)の内側を水平に延びる左右一対のステージ部材(５)(５)を設置する。
【００４５】
図１８(ａ)に示す如くステージ部材(５)は、エスカレータのリニューアルを行なう際に敷設される工事用の床面(10)と略同一の高さにて、該床面(10)と既設トラス(１)との間に架設され、該床面(10)から既設トラス(１)の下階側水平部(13)の上を通過して傾斜部(12)に達し、傾斜部(12)と交叉している。
【００４６】
搬送の対象となるトラスセグメント(30)は、前後左右４つの台車(50)に載せてステージ部材(５)の上に配置し、前方の搬送具(４)が既設トラス(１)の傾斜部(12)の上面に当接するまで、ステージ部材(５)上を移動させる。
この際、下階側門型揚重装置(２ａ)を用いる必要はなく、上階側門型揚重装置のチェーンブロック(20)によってトラスセグメント(30)を牽引するだけでよい。
【００４７】
次に、図１８(ｂ)に示す如く、下階側門型揚重装置(２ａ)のチェーンブロック(20)をトラスセグメント(30)の後部に連結した状態で、上階側門型揚重装置(２ｂ)のチェーンブロック(20)によってトラスセグメント(30)を牽引して、前方の搬送具(４)を既設トラス(１)の傾斜部(12)に沿って移動させる。
この結果、トラスセグメント(30)の前部がステージ部材(５)から浮上するので、前方の台車(50)を取り外す。
【００４８】
そして、図１９(ａ)に示す如く、上階側門型揚重装置(２ｂ)のチェーンブロック(20)によってトラスセグメント(30)を更に引き上げ、後方の台車(50)がステージ部材(５)の終端部に達した時点で、図１９(ｂ)に示す如く下階側門型揚重装置(２ａ)のチェーンブロック(20)を用いて、トラスセグメント(30)を後方の台車(50)から降ろすと共に、後方の搬送具(４)を既設トラス(１)の傾斜部(12)の上面に配置する。その後、後方の台車(50)を撤去する。
【００４９】
この結果、前方及び後方の搬送具(４)が既設トラス(１)の傾斜部(12)の上面に配置され、トラスセグメント(30)は、これらの搬送具(４)によって既設トラス(１)の傾斜部(12)上に支持されることになる。
この様にして、図１０(ａ)〜図１４(ｃ)に示す如く、上階側水平トラスセグメント(31)、上階側屈曲トラスセグメント(32)、及び中間トラスセグメント(33)(33)を次々と搬送し、既設トラス(１)の内部空間に設置していく。
【００５０】
その後、ステージ部材(５)(５)を撤去し、図１５(ａ)〜図１６(ｃ)に示す様に、下階側門型揚重装置(２ａ)と上階側門型揚重装置(２ｂ)を用いて、下階側屈曲トラスセグメント(34)及び下階側水平トラスセグメント(35)を既設トラス(１)の内部空間に設置する。
【００５１】
各トラスセグメント(30)の設置時には、トラスセグメント(30)の高さ調整を行なった後、該トラスセグメント(30)を前方の設置済みのトラスセグメント(30)と連結すると共に、必要に応じて該トラスセグメント(30)を既設トラス(１)と連結する。
【００５２】
そして、トラスセグメント(30)の引き上げ及び設置が終了する度に、又は、トラスセグメント(30)の引き上げ及び設置が全て終了した後、トラスセグメント(30)に取り付けられている４つの搬送具(４)を取り外す。
この際、搬送具(４)の伸縮機構(42)を収縮させれば、搬送具(４)は容易に取り外すことが出来る。
【００５３】
この様にして、全てのトラスセグメント(30)が互いに連結されることにより、既設トラス(１)の内部空間に新設トラス(３)が完成する。
尚、図１８(ａ)に示す床面(10)は、エスカレータのリニューアル工事が完了した時点で撤去し、該床面(10)と略同一の高さ位置に、新たな床面を形成する。
【００５４】
上記エスカレータのリニューアル工法によれば、トラスセグメント(30)に４つの搬送具(４)を取り付けて、該搬送具(４)のそり部材(43)を既設トラス(１)の上面に沿って滑動させることにより、トラスセグメント(30)を移動させることが出来るので、トラスセグメント(30)の搬送は容易なものとなる。
又、搬送具(４)において、そり部材(43)はベース部材(41)に対して一体的に設けられているので、トラスセグメント(30)の搬送時に大きな負荷が作用したとしても、搬送具(４)が破損する虞は殆どなく、メンテナンスも容易である。
【００５５】
更に又、トラスセグメント(30)に搬送具(４)を取り付けたままで、該搬送具(４)によって、トラスセグメント(30)の搬送作業と、搬送後のトラスセグメント(30)の高さ調整を含む設置作業とを実施することが出来るので、搬送作業から設置作業への段取り替えが不要である。
【００５６】
然も、新設トラス(３)を構成する上階側水平トラスセグメント(31)、上階側屈曲トラスセグメント(32)、及び中間トラスセグメント(33)(33)を、ステージ部材(５)を用いて床面(10)から既設トラス(１)上へ移行させるので、下階側門型揚重装置(２ａ)による吊り上げ作業を省略し、若しくは大幅に削減することが出来る。
従って、従来よりも少ない作業工数でリニューアルを完了することが出来る。
【００５７】
尚、本発明の各部構成は上記実施の形態に限らず、特許請求の範囲に記載の技術的範囲内で種々の変形が可能である。例えば、上記実施形態では、搬送具(４)の履体として、そり部材(43)を用いているが、これに限らず、車輪を用いることも可能である。
【００５８】
又、上記実施形態では、リニューアルの対象とするエスカレータの既設トラス(１)に新設トラス(３)を設置するために該既設トラス(１)にステージ部材(５)を取り付けているが、これに限定されるものではない。
例えば、地上１階と地下１階を連絡する上階側エスカレータと、地下１階と地下２階を連絡する下階側エスカレータとをリニューアルする場合は、機材搬入の必要性から、下階側エスカレータを構成する第１既設トラスに新設トラスを設置した後、上階側エスカレータを構成する第２既設トラスに新設トラスを設置する。
【００５９】
この場合、第２既設トラスの下階側水平部上にステージ部材(５)を設置し、下階側エスカレータを構成すべきトラスセグメント(30)を、第２既設トラスの上階側水平部から傾斜部を経てステージ部材(５)の上へ移動させ、更にステージ部材を経て第１既設トラスへ移行させる。
これによって、第２既設トラスの下階側水平部に配備した下階側門型揚重装置(２ａ)の吊り上げによらずにトラスセグメント(30)を移動させて、第２既設トラスの下階側水平部を通過させることが出来る。
【００６０】
又、地上１階と地上２階を連絡する下階側エスカレータと、地上２階と地上３階を連絡する上階側エスカレータとをリニューアルする場合は、機材搬入の必要性から、上階側エスカレータを構成する第１既設トラスに新設トラスを設置した後、下階側エスカレータを構成する第２既設トラスに新設トラスを設置する。
【００６１】
この場合、第２既設トラスの下階側水平部上にステージ部材(５)を設置し、上階側エスカレータを構成すべきトラスセグメント(30)を、ステージ部材(５)の上から第２既設トラスの傾斜部へ移動させ、更に第２既設トラスから第１既設トラスへ移行させる。
これによって、第２既設トラスの下階側水平部に配備した下階側門型揚重装置(２ａ)の吊り上げによらずにトラスセグメント(30)を移動させて、第２既設トラスの下階側水平部を通過させることが出来る。
【００６２】
更に又、上記実施形態では、工場にて新設トラス(３)を完成させた後、該新設トラス(３)を複数のトラスセグメント(30)に分割し、これらのトラスセグメント(30)をリニューアル工事の現場に搬入することとしているが、新設トラス(３)を構成すべき複数のトラスセグメント(30)を工場にて別々に製造した後、工場ではこれらのトラスセグメント(30)を組み立てることなく、リニューアル工事の現場に搬入することも可能である。
【符号の説明】
【００６３】
(１)  既設トラス
(２ａ)  下階側門型揚重装置
(２ｂ)  上階側門型揚重装置
(20)  チェーンブロック
(３)  新設トラス
(30)  トラスセグメント
(４)  搬送具
(41)  ベース部材
(42)  伸縮機構
(43)  そり部材
(44)  第１調整ボルト
(45)  第２調整ボルト
(５)  ステージ部材
(50)  台車
【図１】
2014227242.tif 000003
【図２】
2014227242.tif 000004
【図３】
2014227242.tif 000005
【図４】
2014227242.tif 000006
【図５】
2014227242.tif 000007
【図６】
2014227242.tif 000008
【図７】
2014227242.tif 000009
【図８】
2014227242.tif 000010
【図９】
2014227242.tif 000011
【図１０】
2014227242.tif 000012
【図１１】
2014227242.tif 000013
【図１２】
2014227242.tif 000014
【図１３】
2014227242.tif 000015
【図１４】
2014227242.tif 000016
【図１５】
2014227242.tif 000017
【図１６】
2014227242.tif 000018
【図１７】
2014227242.tif 000019
【図１８】
2014227242.tif 000020
【図１９】
2014227242.tif 000021
【図２０】
2014227242.tif 000022
【図２１】
2014227242.tif 000023